(57)【特許請求の範囲】
【請求項１】
表面を宛名情報記載面とした葉書本体シートと、この葉書本体シートに折り部を介して連接した葉書本体シートの裏面に重ね合わせて剥離可能に接着するための貼着シートと、この貼着シートに折り兼切り部を介して連接した前記貼着シートの前記葉書本体シートとの重ね合わせ接着面とは反対面側に重ね合わせて剥離可能に接着するための配達記録証と、前記葉書シートに折り兼切り部を介して連接した前記配達記録証の前記粘着シートとの重ね合わせ接着面とは反対側に重ね合わせて剥離可能に接着するための配達局控からなり、前記葉書本体シートと前記各貼着シートの重ね合わせ接着面の少なくとも一方は親展通知情報記載面とし、前記配達記録証の重ね合わせ接着面とは反対面側に受領確認記録部と識別コード表示部とを設け、前記配達局控の重ね合わせ接着面とは反対面側に識別コード表示部を設けたことを特徴とする重ね合わせ葉書用シート。
【請求項２】
表面を宛名情報記載面とした葉書本体シートと、この葉書本体シートとは別体で葉書本体シートの裏面に重ね合わせて剥離可能に接着するための貼着シートと、この貼着シートに折り兼切り部を介して連接した前記貼着シートの前記葉書本体シートとの重ね合わせ接着面とは反対面側に重ね合わせて剥離可能に接着するための配達記録証と、前記葉書シートに折り兼切り部を介して連接した前記配達記録証の前記粘着シートとの重ね合わせ接着面とは反対側に重ね合わせて剥離可能に接着するための配達局控からなり、前記葉書本体シートと前記各貼着シートの重ね合わせ接着面の少なくとも一方は親展通知情報記載面とし、前記配達記録証の重ね合わせ接着面とは反対面側に受領確認記録部と識別コード表示部とを設け、前記配達局控の重ね合わせ接着面とは反対面側に識別コード表示部を設けたことを特徴とする重ね合わせ葉書用シート。
【発明の詳細な説明】
【０００１】
【発明の属する技術分野】
本発明は、封書と同様に親展性を有して所定の情報を通知できる重ね合わせ葉書とするための重ね合わせ葉書用シートに関し、特に、書留郵便物と同様に配達記録を得られる重ね合わせ葉書用シートに関する。なお、本明細書でいう親展通知情報とは、被覆隠蔽した状態で通知される情報を意味し、単なる説明文のような秘匿性を必要としない情報も含まれるものである。
【０００２】
【従来の技術】
従来、配達記録を得られる郵便としては書留郵便があるが、この書留郵便は封書に限られている。したがって、葉書の場合には配達記録を得ることはできなかった。
【０００３】
【発明が解決しようとする課題】
このため、従来にあっては、配達記録を得ておきたい通知内容、例えば預金口座からの各種引き落としにおける残高不足のお知らせや引き落とし不足分の送金の督促等を、通知するには、封書による書留郵便で行わなければならず、多数の者に通知する場合は郵送料がかさんで不経済であるという不都合があった。
【０００４】
本発明は、この不都合を解消し、配達記録を得ることができる重ね合わせ葉書を作成するための重ね合わせ葉書用シートを提供することを目的とする。
【０００５】
【課題を解決するための手段】
この目的を達成するために、本発明の請求項１に記載した重ね合わせ葉書用シートは、表面を宛名情報記載面とした葉書本体シートと、この葉書本体シートに折り部を介して連接した葉書本体シートの裏面に重ね合わせて剥離可能に接着するための貼着シートと、この貼着シートに折り兼切り部を介して連接した前記貼着シートの前記葉書本体シートとの重ね合わせ接着面とは反対面側に重ね合わせて剥離可能に接着するための配達記録証と、前記葉書シートに折り兼切り部を介して連接した前記配達記録証の前記粘着シートとの重ね合わせ接着面とは反対側に重ね合わせて剥離可能に接着するための配達局控からなり、前記葉書本体シートと前記各貼着シートの重ね合わせ接着面の少なくとも一方は親展通知情報記載面とし、前記配達記録証の重ね合わせ接着面とは反対面側に受領確認記録部と識別コード表示部とを設け、前記配達局控の重ね合わせ接着面とは反対面側に識別コード表示部を設けたものです。
【０００６】
また、本発明の請求項２に記載した重ね合わせ葉書用シートは、表面を宛名情報記載面とした葉書本体シートと、この葉書本体シートとは別体で葉書本体シートの裏面に重ね合わせて剥離可能に接着するための貼着シートと、この貼着シートに折り兼切り部を介して連接した前記貼着シートの前記葉書本体シートとの重ね合わせ接着面とは反対面側に重ね合わせて剥離可能に接着するための配達記録証と、前記葉書シートに折り兼切り部を介して連接した前記配達記録証の前記粘着シートとの重ね合わせ接着面とは反対側に重ね合わせて剥離可能に接着するための配達局控からなり、前記葉書本体シートと前記各貼着シートの重ね合わせ接着面の少なくとも一方は親展通知情報記載面とし、前記配達記録証の重ね合わせ接着面とは反対面側に受領確認記録部と識別コード表示部とを設け、前記配達局控の重ね合わせ接着面とは反対面側に識別コード表示部を設けたものである。
【０００７】
【発明の実施形態】
以下、本発明の好適な実施形態を添付図面に基づいて説明する。ここにおいて、図１〜図８は第１の実施形態を示し、図１は重ね合わせ葉書用シートの概略的な平面図、図２は同じく他面側を示す概略的な平面図、図３は図１のＡ−Ａ線断面図、図４は作成した重ね合わせ葉書の宛名情報記載面側を示す概略的な平面図、図５は同じく他面側を示す概略的な平面図、図６は図４のＡ−Ａ線断面図、図７は図５状態の重ね合わせ葉書から配達局控を剥離除去した状態を示す概略的な平面図、図８は葉書本体シートと貼着シートとの重ね合わせ接着面を剥離する状態を示す概略的な斜視図である。
【０００８】
また、図９〜図１１は第２の実施形態を示し、図９は重ね合わせ葉書用シートの概略的な平面図、図１０は葉書本体シートと貼着シートとの重ね合わせ接着面を接着した状態の宛名情報記載面側を示す概略的な平面図、図１１は作成した重ね合わせ葉書の概略的な断面図である。
【０００９】
まず、図１〜図８に基づいて、第１の実施形態を説明する。図１〜図３に示すように、重ね合わせ葉書用シート１は、折り部たる折り用ミシン目２を介して連接したほぼ同一サイズの葉書本体シート３と貼着シート４とを備えている。前記貼着シート４は前記葉書本体シート３の裏面に折り重ねて剥離可能に接着するもので、その重ね合わせ接着面と反対面側は、差出人情報記載面となっている。また、前記葉書本体シート３の表面は宛名情報記載面となっている。なお、前記重ね合わせ葉書用シート１は、単片状態を図示しているが、天地方向に折り兼切り用ミシン目を介して多数連接した連続状態にあってもよい。
【００１０】
葉書本体シート３の折り用ミシン目２とは反対側の端縁には、折り兼切り部たる折り兼切り用ミシン目５を介して配達局控６を切り取り可能に設けている。また、貼着シート４の折り用ミシン目２とは反対側の端縁には、折り兼切り部たる折り兼切り用ミシン目７を介して配達記録証たる配達証８を切り取り可能に設けている。この配達証８は、前記貼着シート４の前記葉書本体シート３との重ね合わせ接着面とは反対面側に重ね合わせて剥離可能に接着するものである。一方、前記配達局控６は、前記配達証８の前記貼着シート４との重ね合わせ接着面とは反対面側に重ね合わせて剥離可能に接着するもので、前記配達証８よりも小さいサイズからなる。
【００１１】
図１に示すように、葉書本体シート３の折り兼切り用ミシン目５端側には「郵便はがき」という葉書表示９を設け、貼着シート４の折り兼切り用ミシン目７端のコーナーには、三角形状の切り欠き部１０を設けている。そして、葉書本体シート３と貼着シート４の重ね合わせ接着面をそれぞれ親展通知情報記載面としている。
【００１２】
同じく図１に示すように、配達局控６の表出面側には、「配達局控」という表題１１、識別コードを示すバーコード１２（図５参照）を表示するための識別コード表示部１２ａ、剥離開始端指示マーク１３を設けている。図２に示すように、配達証８の表出面側には、「配達証」という表題１４、受領年月日記入欄１５、受領確認記録部たる受領印捺印欄１６、識別コードを示す前記バーコード１２と同一のバーコード１７（図５参照）を表示するための識別コード表示部１７ａ、剥離開始端指示マーク１８を設けている。また、前記配達局控６と前記配達証８の各重ね合わせ接着面側には、前記各剥離開始端指示マーク１３，１８に対応するコーナー部に、接着力を弱めて剥離を容易にするための印刷部１９，２０を設けている。
【００１３】
図３に示すように、葉書本体シート３と配達局控６の各裏面及び貼着シート４と配達証８の各表裏面には、通常では接着せず、所定の圧が付与されると剥離可能に接着する感圧性の接着剤２１を設けている。この接着剤２１は、一般的な感圧性接着剤をベースとし、このベースである感圧性接着剤に対して非親和性を有する微粒状充填剤を添加して得ることができる。
【００１４】
上述の接着剤２１は、より具体的には、例えば天然ゴム１００重量部に対して、スチレン２〜８重量部と、メタクリル酸メチル１０〜１６重量部とをグラフト共重合して得られた天然ゴムラテックスに、テルペン樹脂系粘着付与剤２〜１０重量部を添加してなる感圧性接着剤をベースとし、この感圧性接着剤に平均粒径１〜３０μｍの酸化チタン、小麦澱粉、シリカ等から選択した一種あるいは複数種からなる微粒状充填剤を１５０〜２５０重量部添加すると好適である。この構成例の接着剤２１では、微粒状充填剤の添加量によって、接着力の調節が可能である。
【００１５】
次に、上述した重ね合わせ葉書用シート１から重ね合わせ葉書を作成する手順について説明する。まず、葉書本体シート３の表面には宛名情報２２を、貼着シート４の表面には差出人情報２３をそれぞれ記載する一方、前記各シート３，４の重ね合わせ接着面である親展通知情報記載面には適宜な親展通知情報２４，２５を記載し、識別コード表示部１２ａ，１７ａには前記宛名情報２２等に対応する識別コードを示すバーコード１２，１７を記載する（図４〜図６参照）。
【００１６】
これら各バーコード１２，１７及び各情報２２，２３，２４，２５の記載は、プリンタで印字する。なお、印字作業は、通常、図１及び図２に示す各面毎に行うが、両面プリンタを用いれば一度に両面に印字することができる。また、重ね合わせ葉書用シート１が連続状態にある場合には、印字後に単位毎に分離して単片化する。
【００１７】
続いて、重ね合わせ葉書用シート１を折り用ミシン目２で二つ折りし、葉書本体シート３と貼着シート４の重ね合わせ接着面同士を重ね合わせるとともに、配達証８の表出面側に配達局控６の重ね合わせ接着面を重ね合わせる。これによって、宛名情報２２と葉書表示９及び差出人情報２３が表出し、各親展通知情報２４，２５は隠蔽状態となる一方、配達証８の表題１４、受領年月日記入欄１５、受領印捺印欄１６は隠蔽状態となる。
【００１８】
さらに、各折り用ミシン目５，７で配達局控６と配達証８を貼着シート４の裏面（表出面）側に折り重ねる。そして、葉書本体シート３、貼着シート４、配達局控６及び配達証８の各重ね合わせ接着面に、図示していない圧着ローラにより、接着剤２１の接着条件となる所定の圧を加えて、各重ね合わせ接着面を剥離可能に接着する。これによって、図４〜図６に示す重ね合わせ葉書２６となる。なお、圧着ローラによる予備的加圧を、重ね合わせ葉書用シート１を折り用ミシン目２で二つ折りした状態時に、行っておいてもよい。
【００１９】
この重ね合わせ葉書２６は、差出人においてバーコード１２，１７のいずれか一方をバーコードリーダ（図示せず）で読み取ってデータ管理する一方、通常の葉書と同様に投函する。投函された重ね合わせ葉書２６は、管轄の集配局に集められ、集配局ではバーコード１２，１７のいずれかをバーコードリーダ（図示せず）で読み取ってデータ管理する一方、宛名情報２２に応じた管轄地域の配達局に配送する。
【００２０】
なお、重ね合わせ葉書２６を投函せずに、従来の書留郵便と同様に、差出人が直接集配局に持ち込んでもよい。重ね合わせ葉書２６が配送された配達局では、バーコード１２をバーコードリーダ（図示せず）で読み取ってデータ管理するとともに、配達局控６を剥離開始端指示マーク１３から捲り上げて剥離し、折り兼切り用ミシン目５から切り取って保管する。
【００２１】
そして、配達局控６が切り取られた重ね合わせ葉書２６（図７参照）は、配達局から宛名人に配達される。この重ね合わせ葉書２６を受領した宛名人は、郵便配達人の指示にしたがって、配達証８の受領年月日記入欄１５に受領日を記入し、受領印捺印欄１６に受領印を捺印する。郵便配達人は、前記配達証８を剥離開始端指示マーク１８から捲り上げて剥離し、折り兼切り用ミシン目７から切り取る一方、前記配達証８を切り取った重ね合わせ葉書２６書を宛名人に手渡す。この切り取った配達証８は、郵便配達人が配達局に持ち帰って保管する。
【００２２】
宛名人は、図８に示すように、貼着シート４を切り欠き部１０から捲り上げ、葉書本体シート３から剥離し、隠蔽されていた親展通知情報２４，２５を視認することができる。なお、本実施形態では、前記葉書本体シート３と前記貼着シート４とは、折り用ミシン目２を介して連接しているので、両シート３，４を完全に剥離して見開き状態にしても一体を保ち、保管が容易である。
【００２３】
次に、図９〜図１１に基づいて本発明の第２の実施形態を説明する。図９に示すように、重ね合わせ葉書用シート３１は、葉書本体シート３３と、この葉書本体シート３３の裏面に剥離可能に接着する貼着シート３４を備え、これら両シート３３，３４は別体に形成している。前記葉書本体シート３３の表面は宛名情報５２（図１０参照）を記載する宛名情報記載面となり、前記貼着シート３４の重ね合わせ接着面と反対面側は、差出人情報５３（図１１参照）を記載する差出人情報記載面となっている。
【００２４】
葉書本体シート３３の一端側には、折り兼切り部たる折り兼切り用ミシン目３５を介して配達局控３６を切り取り可能に設けている。また、貼着シート３４の一端側には、折り兼切り部たる折り兼切り用ミシン目３７を介して配達証３８を切り取り可能に設けている。この配達証３８は、前記貼着シート３４の前記葉書本体シート３３との重ね合わせ接着面とは反対面側に重ね合わせて剥離可能に接着するものであり、前記配達局控３６は、前記配達証３８の前記貼着シート３４との重ね合わせ接着面とは反対面側に重ね合わせて剥離可能に接着するもので、前記配達証３８よりも小さいサイズからなる。
【００２５】
図９に示すように、葉書本体シート３３の折り兼切り用ミシン目３５端側には「郵便はがき」という葉書表示３９を設け、貼着シート３４の折り兼切り用ミシン目３７端のコーナーには、三角形状の切り欠き部４０を設けている。そして、葉書本体シート３３と貼着シート３４の重ね合わせ接着面をそれぞれ親展通知情報５４，５５（図１１参照）を記載する親展通知情報記載面としている。
【００２６】
配達局控３６の表出面側には、「配達局控」という表題４１、識別コードを示すバーコード４２を表示するための識別コード表示部４２ａ、剥離開始端指示マーク４３を設けている。一方、配達証３８の表出面側には、「配達証」という表題４４、受領年月日記入欄４５、受領確認記録部たる受領印捺印欄４６、識別コードを示す前記バーコード４２と同一のバーコード４７を表示するための識別コード表示部４７ａ、剥離開始端指示マーク４８を設けている。また、前記配達局控３６と前記配達証３８の各重ね合わせ接着面側には、前記各剥離開始端指示マーク４３，４８に対応するコーナー部に、接着力を弱めて剥離を容易にするための印刷部（図示せず）を設けている。
【００２７】
図１１で理解できるように、葉書本体シート３３と配達局控３６の各裏面及び貼着シート３４と配達証３８の各表裏面には、通常では接着せず、所定の圧が付与されると剥離可能に接着する感圧性の接着剤５１を設けている。この接着剤５１は、第１の実施形態における接着剤２１と同一の感圧性接着剤を用いればよい。
【００２８】
続いて、上述した重ね合わせ葉書用シート３１から重ね合わせ葉書５６（図１１参照）を作成する手順及び作成した重ね合わせ葉書５６の使用方法について説明するが、第１の実施形態の重ね合わせ葉書用シート３１の場合と相違するのは、葉書本体シート３３及び配達局控３６と貼着シート３４及び配達証３８とを重ね合わせる際に、図１０に示すように、各折り兼切り用ミシン目３５，３７が上下に対応位置するようにして重ね合わせる点であり、他は同様であるからその詳細な説明は省略する。
【００２９】
本実施形態にあっては、葉書本体シート３３から貼着シート３４を剥離すると、第１の実施形態のような見開き状態とはならず、両シート３３，３４は別体となる。
【００３０】
なお、本発明は上述した各実施形態に限られるものではなく、例えば、配達局控６，３６と配達証８，３８は、同一のサイズでもよく、また、これらを葉書本体シート３，３３と貼着シート４，３４に各別に設けるほか、いずれか一方のシート３，３３，４，３４に連接してもよい。さらに、配達局控６，３６は、必ずしも設ける必要はない。さらにまた、葉書本体シート３，３３と貼着シート４，３４の剥離可能な重ね合わせ接着面の両方を親展通知情報記載面とする必要はなく、いずれか一方のみでもよいものである。
【００３１】
さらに、受領確認記録部は受領印捺印欄１６，４６に限らず、例えば受領者サイン欄でもよい。またさらに、葉書表示９，３９は「郵便はがき」のほか、郵便葉書を意味する字句であればよく、「ＰＯＳＴ  ＣＡＲＤ」のような英文字による表示でもよいものである。
【００３２】
また、剥離可能に接着する接着剤２１，５１は、感圧性のものに代えて、熱の付与を接着条件とする感熱性や、水分の付与を接着条件とする再湿性の接着剤を用いてもよい。さらに、接着剤２１，５１は、重ね合わせ接着面のみに設けてもよい。さらにまた、剥離開始端には接着剤２１，５１を設けないことにより、剥離開始動作をより容易にすることができる。またさらに、接着剤２１，５１ではなく、互いに剥離可能に疑似的に接着した２枚の樹脂フィルムを介して、各重ね合わせ接着面を剥離可能に接着してもよい。
【００３３】
【発明の効果】
このようにして、本願発明である各請求項に記載した重ね合わせ葉書用シートによれば、重ね合わせ葉書を容易に作成できるほか、作成した重ね合わせ葉書によれば、封書よりも取扱が簡便で郵便料金も安価な葉書で、書留郵便と同様の配達記録を得ることができ、また、配達記録証は全面的に接着されるので、作成した重ね合わせ葉書の郵送時に配達記録証が不用意に剥離するおそれはなく、取扱が容易であるという効果を奏する。
【図面の簡単な説明】
【図１】  本発明の第１の実施形態を示す重ね合わせ葉書用シートの概略的な平面図。
【図２】  同じく重ね合わせ葉書用シートの他面側を示す概略的な平面図。
【図３】  同じく図１のＡ−Ａ線断面図。
【図４】  同じく作成した重ね合わせ葉書の宛名情報記載面側を示す概略的な平面図。
【図５】  同じく重ね合わせ葉書の他面側を示す概略的な平面図。
【図６】  同じく図４のＡ−Ａ線断面図。
【図７】  同じく図５状態の重ね合わせ葉書から配達局控を剥離除去した状態を示す概略的な平面図。
【図８】  同じく葉書本体シートと貼着シートとの重ね合わせ接着面を剥離する状態を示す概略的な斜視図。
【図９】  本発明の第２の実施形態を示す重ね合わせ葉書用シートの概略的な平面図。
【図１０】  同じく葉書本体シートと貼着シートとの重ね合わせ接着面を接着した状態の宛名情報記載面側を示す概略的な平面図。
【図１１】  同じく作成した重ね合わせ葉書の概略的な断面図。
【符号の説明】
１，３１      重ね合わせ葉書用シート
２      折り用ミシン目
３，３３      葉書本体シート
４，３４      貼着シート
５，７，３５，３７      折り兼切り用ミシン目
６，３６      配達局控
８，３８      配達証
９，３９      葉書表示
１２，１７，４２，４７      バーコード
１２ａ，１７ａ，４２ａ，４７ａ      識別コード表示部
１６，４６      受領印捺印欄
２１，５１      接着剤
２２，５２      宛名情報
２３，５３      差出人情報
２４，２５，５４，５５      親展通知情報
２６，５６      重ね合わせ葉書
【図１】
0003835876.tif 000002
【図２】
0003835876.tif 000003
【図３】
0003835876.tif 000004
【図４】
0003835876.tif 000005
【図５】
0003835876.tif 000006
【図６】
0003835876.tif 000007
【図７】
0003835876.tif 000008
【図８】
0003835876.tif 000009
【図９】
0003835876.tif 000010
【図１０】
0003835876.tif 000011
【図１１】
0003835876.tif 000012